(57)【要約】【課題】縦長の使用状態又は横長の使用状態として、建物の壁面に対する吊り掛けとテーブル面への据え立てとを行なえるようにする。【解決手段】回動ベース板（１５）と接地脚座（１６）とが枢支連結された折りたたみ式スタンド（Ｓ）の回動ベース板を、長方形な額縁本体（Ｆ）の背面板（１２）へ回動支点軸（１７）により、縦向きと横向きとの少なくとも９０度（α）方向変換できるように枢着すると共に、上記背面板の４隅部へ取り付けた第１〜４索条（２１ａ）〜（２１ｄ）の隣り合う２本づつを、縦向き又は横向きに締結し変えて、その締結した上側の２本を壁面（Ｗ）のフック金具（２２）へ吊り掛け使用できるように定める一方、同じく締結した下側の２本により、上記スタンドの接地脚座を回動ベース板への折りたたみ閉合状態に拘束できるように定めた。【選択図】  図２
2007312808.tif 000002
【特許請求の範囲】
【請求項１】
透視窓（１０）を有する化粧枠（１１）と、その背面の縁取り状態に固着一体化された接地脚座（１６）との前後相互間へ、絵画や写真などの各種枚葉観賞品（Ｍ）を出し入れ自在に収納して、その観賞品（Ｍ）を上記透視窓（１０）から透視する長方形な額縁本体（Ｆ）と、
その額縁本体（Ｆ）の背面板（１２）へ１個の支点軸（１７）を介して、縦向きと横向きとの少なくとも９０度（α）方向変換できるように枢着された回動ベース板（１５）と、その回動ベース板（１５）へ上記額縁本体（Ｆ）の１辺と平行な稜線（ｈ−ｈ）を開閉ヒンジ（１８ａ）（１８ｂ）とする起伏的な開閉操作自在に枢支連結された接地脚座（１６）とから、上記額縁本体（Ｆ）の背後へ隠れる全体的な大きさに造形された折りたたみ式スタンド（Ｓ）と、
そのスタンド（Ｓ）を挾める間隔の対応位置関係として、上記額縁本体（Ｆ）における背面板（１２）の４隅部（Ｐ１）（Ｐ２）（Ｐ３）（Ｐ４）へ各々抜け止め状態に取り付けられた第１〜４索条（２１ａ）（２１ｂ）（２１ｃ）（２１ｄ）とを備え、
その第１〜４索条（２１ａ）〜（２１ｄ）の隣り合う２本づつを上記額縁本体（Ｆ）の短辺（ｘ）に沿う平行な延在状態と、同じく額縁本体（Ｆ）の長辺（ｙ）に沿う平行な延在状態との選択的に締結して、
その締結した下側の２本により上記スタンド（Ｓ）の接地脚座（１６）を回動ベース板（１５）へ折りたたみ伏倒した閉合状態に拘束する一方、同じく締結した上側の２本を建物の壁面（Ｗ）から突出するフック金具（２２）へ係止させることにより、上記額縁本体（Ｆ）を縦長又は横長として吊り掛け使用できるほか、
上記接地脚座（１６）の拘束状態に締結している下側の２本を解除して、その接地脚座（１６）を回動ベース板（１５）から引き起し開脚させることにより、上記額縁本体（Ｆ）をやはり縦長又は横長としてテーブル面（Ｔ）へ据え立て使用することもできるように定めたことを特徴とするスタンド付き額縁。
【請求項２】
スタンド（Ｓ）の回動ベース板（１５）と接地脚座（１６）とを互いに同じ大きさの長方形に造形して、その額縁本体（Ｆ）の１辺と平行な稜線（ｈ−ｈ）からのほぼ半折り状態に枢支連結すると共に、
上記回動ベース板（１５）の中央部を１個の回動支点軸（１７）により、額縁本体（Ｆ）における背面板（１２）の短辺（ｘ）側へ片寄った偏心位置に枢着したことを特徴とする請求項１記載のスタンド付き額縁。
【請求項３】
額縁本体（Ｆ）における化粧枠（１１）と背面板（１２）との前後相互間を観賞品収納スペース（１３）として画定し、その化粧枠（１１）へ透視窓（１０）の遮蔽可能な透明の防塵カバー（２３）を裏当て状態に貼り付けると共に、
上記観賞品収納スペース（１３）と連通する観賞品出し入れスリット（１４）を、上記額縁本体（Ｆ）の１辺又は隣り合う２辺に開口形成したことを特徴とする請求項１記載のスタンド付き額縁。
【請求項４】
スタンド（Ｓ）の接地脚座（１６）を長方形又は等脚台形に造形して、その接地脚座（１６）へ横断状態に巻き付けた無端な結束バンド（１９）により、メモ用紙や新聞などからの切り抜き記事、カード類、その他の伸縮保管物（２０）を、上記接地脚座（１６）へ押さえ付けることができるように定めたことを特徴とする請求項１記載のスタンド付き額縁。
【請求項５】
スタンド（Ｓ）の接地脚座（１６）が回動ベース板（１５）と向かい合う内面又は外面へ、化粧用鏡（２６）又は黒板やホワイトボードなどの筆記板を埋設一体化したことを特徴とする請求項１記載のスタンド付き額縁。
【発明の詳細な説明】
【技術分野】
【０００１】
本発明は建物の壁面に対する吊り掛け使用と、テーブル面への据え立て使用とを選択できる便利なスタンド付き額縁に関する。
【背景技術】
【０００２】
スタンド付きの額縁としては、既に特開平１０−３３３３５号と実用新案登録第３０７５１７７号並びに同第３１１９９４５号が提案されており、これらが本発明に近似する公知技術であると考えられる。
【特許文献１】特開平１０−３３３３５号公報
【特許文献２】実用新案登録第３０７５１７７号公報
【特許文献３】実用新案登録第３１１９９４５号公報
【発明の開示】
【発明が解決しようとする課題】
【０００３】
ところが、先ず特開平１０−３３３３５号のスタンド付き額縁は、あくまでも設置台（９）へ据え立て使用するそれとして、その設置台（９）に対する額縁（１）の仰角（θ１）（θ２）を大小変更できるよう構成されているに過ぎない。
【０００４】
そのため、そのスタンド（５）の突当板（８）から突出するボス（６ａ）（６ｂ）を、額縁（１）の裏面（３）に開口分布するボス受孔（４ａ）（４ｂ）（４ｃ）（４ｄ）から取りはずしたとしても、その額縁（１）を建物の壁面へ吊り掛け使用することができず、未だ不便である。
【０００５】
次に、実用新案登録第３０７５１７７号の着脱スタンド付き額は、壁掛け用穴付きボックス（３）の背面に縦位置用壁掛け穴（５）と横位置用壁掛け穴（６）との２種が開口分布されているため、建物の壁面へ吊り掛け使用できるとしても、その穴付きボックス（３）から取りはずした着脱スタンド（４）の後始末に困ることとなり、紛失するおそれがある。
【０００６】
又、５面の透明な板体（１）とセットした壁掛け用穴付きボックス（３）を、建物の壁面へ密着状態に直か付けするようになっており、その板体（１）の傾斜角度が調整不能であるため、壁面の高所へ直か付け使用すると、写真やポスター（２）を下方から直視し難くなり、その取り付け位置に制約を受けることとなる。
【０００７】
着脱スタンド（４）を壁掛け用穴付きボックス（３）へ取り付けた場合には、縦位置でも横位置でも美しく自立する旨として説明されているが、そのテーブル面に対するスタンド（４）の接地面は縦位置と横位置とで格別に相違し、特にその横位置での自立姿勢が著しく不安定となり、縦位置での自立姿勢と同等の安定状態に保つことができない。
【０００８】
更に、別な実用新案登録第３１１９９４５号は本発明者から提案したものであり、これによれば左右対称な一対の支持脚（スタンド）（２２）が折りたたみ式として、額縁本体（１０）の左右両サイド辺に付属しているため、上記着脱式のスタンドと異なって、その取りはずし後の始末に困ったり、紛失したりするおそれはないが、その額縁本体（１０）を建物の壁面へ吊り掛ける場合と、テーブル面へ据え立てる場合との何れにあっても、これを絵画や写真、色紙、賞状などの各種枚葉観賞品（Ｍ）に応じて、その縦長と横長との方向変換状態に選択使用することができず、その意味から未だ利便性と汎用性に劣る。
【課題を解決するための手段】
【０００９】
本発明はこのような諸問題の抜本的な解決を目的としており、その目的を達成するための構成として、請求項１では透視窓を有する化粧枠と、その背面の縁取り状態に固着一体化された接地脚座との前後相互間へ、絵画や写真などの各種枚葉観賞品を出し入れ自在に収納して、その観賞品を上記透視窓から透視する長方形な額縁本体と、
【００１０】
その額縁本体の背面板へ１個の支点軸を介して、縦向きと横向きとの少なくとも９０度方向変換できるように枢着された回動ベース板と、その回動ベース板へ上記額縁本体の１辺と平行な稜線を開閉ヒンジとする起伏的な開閉操作自在に枢支連結された接地脚座とから、上記額縁本体の背後へ隠れる全体的な大きさに造形された折りたたみ式スタンドと、
【００１１】
そのスタンドを挾める間隔の対応位置関係として、上記額縁本体における背面板の４隅部へ各々抜け止め状態に取り付けられた第１〜４索条とを備え、
【００１２】
その第１〜４索条の隣り合う２本づつを上記額縁本体の短辺に沿う平行な延在状態と、同じく額縁本体の長辺に沿う平行な延在状態との選択的に締結して、
【００１３】
その締結した下側の２本により上記スタンドの接地脚座を回動ベース板へ折りたたみ伏倒した閉合状態に拘束する一方、同じく締結した上側の２本を建物の壁面から突出するフック金具へ係止させることにより、上記額縁本体を縦長又は横長として吊り掛け使用できるほか、
【００１４】
上記接地脚座の拘束状態に締結している下側の２本を解除して、その接地脚座を回動ベース板から引き起し開脚させることにより、上記額縁本体をやはり縦長又は横長としてテーブル面へ据え立て使用することもできるように定めたことを特徴とする。
【００１５】
又、請求項２ではスタンドの回動ベース板と接地脚座とを互いに同じ大きさの長方形に造形して、その額縁本体の１辺と平行な稜線からのほぼ半折り状態に枢支連結すると共に、
【００１６】
上記回動ベース板の中央部を１個の回動支点軸により、額縁本体における背面板の短辺側へ片寄った偏心位置に枢着したことを特徴とする。
【００１７】
請求項３では額縁本体における化粧枠と背面板との前後相互間を観賞品収納スペースとして画定し、その化粧枠へ透視窓の遮蔽可能な透明の防塵カバーを裏当て状態に貼り付けると共に、
【００１８】
上記観賞品収納スペースと連通する観賞品出し入れスリットを、上記額縁本体の１辺又は隣り合う２辺に開口形成したことを特徴とする。
【００１９】
請求項４ではスタンドの接地脚座を長方形又は等脚台形に造形して、その接地脚座へ横断状態に巻き付けた無端な伸縮バンドにより、メモ用紙や新聞などからの切り抜き記事、カード類、その他の枚葉保管物を、上記接地脚座へ押さえ付けることができるように定めたことを特徴とする。
【００２０】
更に、請求項５ではスタンドの接地脚座が回動ベース板と向かい合う内面又は外面へ、化粧用鏡又は黒板やホワイトボードなどの筆記板を埋設一体化したことを特徴とする。
【発明の効果】
【００２１】
請求項１の上記構成によれば、回動ベース板と接地脚座とから成る折りたたみ式スタンドの回動ベース板が、長方形な額縁本体の背面板へ支点軸を介して、縦向きと横向きとの少なくとも９０度方向変換できるように枢着されている一方、そのスタンドを挟める対応位置関係の第１〜４索条が、上記背面板の４隅部に予じめ取り付けられているため、その第１〜４索条の隣り合う２本づつを各種枚葉観賞品の見やすい方向性に応じ、縦向き又は横向きに締結し変えるだけで、その上側を締結した２本の索条により、額縁本体を縦長又は横長として、建物の壁面から吊り掛け使用することができる。
【００２２】
そして、スタンドの接地脚座を回動ベース板への折りたたみ閉合状態に拘束すべく、その下側の締結状態にある２本の索条を解除し、上記スタンドの回動ベース板を９０度方向変換して、その回動ベース板から接地脚座を引き起し開脚させることにより、上記額縁本体をやはり縦長又は横長として、テーブル面へ安定良く据え立て使用することもできるため、使用上の利便性と各種枚葉観賞品への汎用性に優れる。
【００２３】
その場合、請求項２の構成を採用するならば、額縁本体における長辺と短辺との差が大きい場合でも、その折りたたみ式スタンドを額縁本体の背後へ確実に隠れる大きさとして、無理なく造形することができ、額縁本体の各種長方形に対応しやすくなる。
【００２４】
又、請求項３の構成を採用するならば、額縁本体の観賞品収納スペースに収納された各種枚葉観賞品を、その透明な防塵カバーによって防塵状態に保つことができるほか、額縁本体の化粧枠に背面板が固着一体化されているとしても、その観賞品出し入れスリットから観賞品収納スペースに対して、各種枚葉観賞品を容易に出し入れ操作し得る効果がある。
【００２５】
更に、請求項４や請求項５の構成を採用するならば、額縁本体に付加価値を与えることができ、日常生活上の利便性も向上する。
【発明を実施するための最良の形態】
【００２６】
以下、図面に基いて本発明の具体的構成を詳述すると、先ず図１〜９はそのスタンド付き額縁の第１実施形態を示しており、（Ｆ）は合成樹脂や軽金属、厚紙、経木、化粧合板、無垢な木材などの硬質材料から、例えば長辺（ｙ）：約３４０mm×短辺（ｘ）：約２５０mmの長方形に製作された平盤状の額縁本体であって、中央部に適当な大きさ（一例として約２７０mm×約１８０mm）の透視窓（１０）を有する化粧枠（１１）と、その化粧枠（１１）の背面へ４辺を縁取る状態に固着一体化された背面板（１２）とから成る。
【００２７】
そして、化粧枠（１１）とその背面板（１２）との前後相互間が、絵画や写真、色紙、賞状、証書、その他の各種枚葉観賞品（Ｍ）を収納できる観賞品収納スペース（１３）として画定されている。
【００２８】
その場合、長方形な化粧枠（１１）又は／及び背面板（１２）の周辺部を折り返し重合状態に厚肉化したり、図３のような断面チャンネル型や断面アングル型に造形したり、或いはその化粧枠（１１）と背面板（１２）との前後相互間へ、別個なスペーサー（図示省略）を縁取り状態に介在させたりして、上記観賞品（Ｍ）の複数枚を収納できるように、その収納スペース（１３）を広く確保しても良い。
【００２９】
何れにしても、上記化粧枠（１１）とその背面板（１２）とから形作られた長方形な額縁本体（Ｆ）の１辺又は隣り合う２辺には、上記観賞品収納スペース（１３）と連通する観賞品出し入れスリット（１４）が開口形成されており、ここから観賞品（Ｍ）をその収納スペース（１３）に対して、円滑に出し入れ操作できるようになっている。
【００３０】
（Ｓ）は回動ベース板（１５）と接地脚座（１６）とから成る折りたたみ式のスタンドであり、そのうちの回動ベース板（１５）が上記額縁本体（Ｆ）の背面板（１２）へ１個の支点軸（１７）を介して、縦向きと横向きとの少なくとも９０度（α）（図例では３６０度）回動操作できるように枢着されている一方、接地脚座（１６）がその回動ベース板（１５）における上記額縁本体（Ｆ）の１辺と平行な稜線（ｈ−ｈ）を開閉ヒンジ（１８ａ）（１８ｂ）として、回動ベース板（１５）へ起伏的な開閉操作自在に枢支連結されている。
【００３１】
このような折りたたみ式のスタンド（Ｓ）も、上記額縁本体（Ｆ）と同種の硬質材料から製作されている。その額縁本体（Ｆ）の背面板（１２）に対する回動ベース板（１５）の回動支点軸（１７）としては、リベットやピン、硬質な紙管などを採用すれば良く、又回動ベース板（１５）に対する上記接地脚座（１６）の開閉ヒンジ（１８ａ）（１８ｂ）としては、その開脚した一定な交叉角度（γ）で停止する蝶番を採用してもさしつかえないが、図４に例示するような開閉操作手を放しても、バネの弾性付勢力や摩擦抵抗力などにより、その任意位置での安定良く停止し得る所謂フリーストップヒンジを採用することが望ましい。
【００３２】
しかも、上記スタンド（Ｓ）はその接地脚座（１６）を回動ベース板（１５）と閉合する伏倒状態に折りたたんだ時、これを回動支点軸（１７）の廻りに縦向きと横向きとの９０度（α）方向変換するも、額縁本体（Ｆ）の４辺から決して張り出し露呈せず、その額縁本体（Ｆ）の背後へ隠れる大きさに造形されている。
【００３３】
つまり、スタンド（Ｓ）の回動ベース板（１５）に対する接地脚座（１６）の開閉ヒンジ（１８ａ）（１８ｂ）から、その廻りに折りたたまれた接地脚座（１６）の下辺部までの間隔距離（Ｌ）が最大でも、額縁本体（Ｆ）の短辺（ｘ）と同等以下の長さに寸法化されているわけである。
【００３４】
そのために、上記額縁本体（Ｆ）における長辺（ｙ）と短辺（ｘ）との差が比較的大きい第１実施形態では、そのスタンド（Ｓ）の回動ベース板（１５）と接地脚座（１６）とを、互いに同じ約２００mm×約１７０mmの長方形な大きさとして、図２、３のような上記稜線（ｈ−ｈ）からのほぼ半折り状態に枢支連結すると共に、その回動ベース板（１５）の中央部を回動支点軸（１７）により、上記額縁本体（Ｆ）における背面板（１２）の短辺（ｘ）側へ片寄った偏心位置に枢着している。
【００３５】
但し、上記回動ベース板（１５）から開閉ヒンジ（１８ａ）（１８ｂ）の廻りに引き起す如く開脚された接地脚座（１６）の下辺部が、テーブル面（Ｔ）へ水平状態での安定良く接地し得るならば、回動ベース板（１５）の大きさを接地脚座（１６）よりも小さく、又その回動ベース板（１５）の形状を接地脚座（１６）のそれと相違変化させてもさしつかえない。接地脚座（１６）の下辺部へ滑り止め用の被膜（図示省略）を付属一体化させることも考えられる。
【００３６】
殊更、上記スタンド（Ｓ）の接地脚座（１６）を図２のような長方形に造形した場合、これに無端な伸縮バンド（１９）を上記開閉ヒンジ（１８ａ）（１８ｂ）との平行な横断状態として、着脱自在に巻き付け使用することが好ましい。
【００３７】
そうすれば、日常生活上記憶しておくべき重要事項のメモ用紙や新聞などからの切り抜き記事、紙幣、カード類、その他の枚葉保管物（２０）をその伸縮バンド（１９）によって、上記回動ベース板（１５）から折りたたみ閉合される接地脚座（１６）の内面へ、弾力的に押さえ付け秘蔵することができ、著しく便利である。
【００３８】
（２１ａ）（２１ｂ）（２１ｃ）（２１ｄ）は上記折りたたみ式スタンド（Ｓ）の就中接地脚座（１６）を挾める間隔の対応位置関係として、額縁本体（Ｆ）を形作る背面板（１２）の４隅部（Ｐ１）（Ｐ２）（Ｐ３）（Ｐ４）へ、各々抜け止め状態に取り付け一体化された紐やその他の索条であり、その合計４本の隣り合う２本づつを横向き又は縦向きとして、選択的に締結使用するようになっている。
【００３９】
即ち、図５、７は建物の壁面（Ｗ）に対する本発明の吊り掛け使用状態を示しているが、合計４本ある第１〜４索条（２１ａ）〜（２１ｄ）のうち、今図２のように第１、２索条（２１ａ）（２１ｂ）の２本と第３、４索条（２１ｃ）（２１ｄ）の２本を、各々額縁本体（Ｆ）の短辺（ｘ）に沿う平行な延在状態として締結し、その締結した何れか一方の第１、２索条（２１ａ）（２１ｂ）を上側として、壁面（Ｗ）から一体的に突出するフック金具（２２）へ掛止させることにより、額縁本体（Ｆ）を図５のような縦長の吊り掛け使用状態に保つことができる。
【００４０】
その際、残る下側を締結した他方の第３、４索条（２１ｃ）（２１ｄ）により、上記スタンド（Ｓ）の接地脚座（１６）を図２、３、５のような回動ベース板（１５）へ折りたたみ伏倒した閉合状態に拘束することができ、その接地脚座（１６）の不慮に開脚したり、上記回動ベース板（１５）の振れ廻りガタ付いたりするおそれはない。
【００４１】
又、上記第１、２索条（２１ａ）（２１ｂ）の締結状態と第３、４索条（２１ｃ）（２１ｄ）の締結状態を何れも一旦解除し、図６のように第１、３索条（２１ａ）（２１ｃ）の２本と第２、４索条（２１ｂ）（２１ｄ）の２本を、各々額縁本体（Ｆ）の長辺（ｙ）に沿う平行な延在状態として締結し変えると共に、上記スタンド（Ｓ）の回動ベース板（１５）を回動支点軸（１７）の廻りに９０度（α）方向変換し、その締結した何れか一方の第１、３索条（２１ａ）（２１ｃ）を上側として、やはり壁面（Ｗ）から突出するフック金具（２２）へ掛止させることにより、上記額縁本体（Ｆ）を図７のような横長の吊り掛け使用状態に保てるのである。
【００４２】
その際にも、残る下側を締結した他方の第２、４索条（２１ｂ）（２１ｄ）により、やはりスタンド（Ｓ）の接地脚座（１６）を図６、７のような回動ベース板（１５）へ折りたたみ伏倒した閉合状態に拘束して、その接地脚座（１６）の開脚や回動ベース板（１５）の振れ廻りを防止することができる。
【００４３】
上記縦長の吊り掛け使用状態と、横長の吊り掛け使用状態との何れにあっても、そのフック金具（２２）へ掛止される第１、２索条（２１ａ）（２１ｂ）や第１、３索条（２１ａ）（２１ｃ）の作用長さを、適宜長短変化させることにより、建物の壁面（Ｗ）に対する額縁本体（Ｆ）の傾斜角度（β）を、常に下方から直視しやすく大小調整することができる。
【００４４】
他方、図２の締結状態にある下側の第３、４索条（２１ｃ）（２１ｄ）や、図６の締結状態にある下側の第２、４索条（２１ｂ）（２１ｄ）を各々解除し、開閉自由になった上記スタンド（Ｓ）の接地脚座（１６）を、その回動ベース板（１５）から背後方向へ引き起して、適当な交叉角度（γ）だけ開脚させることにより、上記額縁本体（Ｆ）を図８のような縦長や図９のような横長として、テーブル面（Ｔ）へ安定良く据え立て使用することも可能である。
【００４５】
その場合、上記締結状態を解除した第３、４索条（２１ｃ）（２１ｄ）の２本や第２、４索条（２１ｂ）（２１ｄ）の２本は、図８、９から明白なように、これを各々スタンド（Ｓ）の回動ベース板（１５）又は額縁本体（Ｆ）の背面板（１２）へ、その横断状態に締結しておくことにより、見苦しく垂れ下がらないように後始末すれば良い。尚、上側に残っている第１、２索条（２１ａ）（２１ｂ）や第１、３索条（２１ａ）（２１ｃ）は、その締結状態のままに放置すれば足る。
【００４６】
次に、図１０〜１４は本発明に係るスタンド付き額縁の第２実施形態を示しており、これから明白なように、額縁本体（Ｆ）における長辺（ｙ）と短辺（ｘ）との差が比較的小さい場合には、その折りたたみ式スタンド（Ｓ）における回動ベース板（１５）の偏心部を回動支点軸（１７）により、額縁本体（Ｆ）における背面板（１２）の中央部へ枢着すると共に、接地脚座（１６）をそのほぼ半円形の回動ベース板（１５）よりも大きな下広がりのほぼ等脚台形に造形しても良い。
【００４７】
このように構成したとしても、回動支点軸（１７）の廻りに９０度（α）方向変換されるスタンド（Ｓ）の接地脚座（１６）が、その折りたたみ状態において額縁本体（Ｆ）の４辺から張り出し露呈するおそれはなく、そのほぼ等脚台形の大きな接地脚座（１６）によって、額縁本体（Ｆ）をテーブル面（Ｔ）へ一層安定良く据え立て使用できるからである。
【００４８】
その第２実施形態に示す如く、透明な合成樹脂板や合成樹脂フィルム、ガラス板などの防塵カバー（２３）を、額縁本体（Ｆ）の化粧枠（１１）へ裏当て付属状態に貼り付けて、その化粧枠（１１）の透視窓（１０）を透視できるように遮蔽しても良い。
【００４９】
又、額縁本体（Ｆ）における背面板（１２）の４隅部（Ｐ１）（Ｐ２）（Ｐ３）（Ｐ４）へ、背後から別個な吊り環（２４）を各々回動自在に枢着して、その各吊り環（２４）へ上記第１〜４索条（２１ａ）〜（２１ｄ）を通し込み状態や結束状態に係止させることにより、その索条（２１ａ）〜（２１ｄ）だけを新品と交換できるように定めても良い。
【００５０】
更に、上記スタンド（Ｓ）の接地脚座（１６）が回動ベース板（１５）と向かい合う内面に、カード収納用ポケット（２５）を切り欠き形成したり、或いはその接地脚座（１６）の内面や外面へ、化粧用鏡（２６）又は黒板やホワイトボードなどの筆記板（図示省略）を埋設一体化したりすることも考えられる。
【００５１】
そうすれば、その接地脚座（１６）のポケット（２５）へ収納した診察券やポイントカード、その他の各種カード類（２７）を、上記伸縮バンド（１９）での脱落不能に押さえ付け固定でき、その紛失しない保管上の利便性や額縁の付加価値が向上する。
【００５２】
尚、本発明の第２実施形態におけるその他の構成と使用法並びに使用状態は、上記第１実施形態と実質的に同一であるため、その図１０〜１４に図１〜９との対応符号を記入するにとどめて、その詳細な説明を省略する。
【図面の簡単な説明】
【００５３】
【図１】本発明に係るスタンド付き額縁の第１実施形態を示す正面図である。
【図２】図１の背面図である。
【図３】図２の３−３線断面図である。
【図４】開閉ヒンジを抽出して示す断面図である。
【図５】縦長として壁面へ吊り掛けた使用状態を示す側断面図である。
【図６】図２からスタンドを９０度方向変換させ、第１〜４索条を締結し変えた状態の背面図である。
【図７】横長として壁面へ吊り掛けた使用状態を示す図５に対応する側断面図である。
【図８】縦長としてテーブル面へ据え立てた使用状態を示す側断面図である。
【図９】横長としてテーブル面へ据え立てた使用状態を示す側断面図である。
【図１０】本発明に係るスタンド付き額縁の第２実施形態を示す背面図である。
【図１１】図１０の１１−１１線断面図である。
【図１２】図１０からスタンドを９０度方向変換させ、第１〜４索条を締結し変えた状態の背面図である。
【図１３】図１１の額縁を壁面へ吊り掛けた使用状態の側断面図である。
【図１４】図１１の額縁をテーブル面へ据え立てた使用状態の側断面図である。
【符号の説明】
【００５４】
（１０）・透視窓
（１１）・化粧枠
（１２）・背面板
（１３）・観賞品収納スペース
（１４）・観賞品出し入れスリット
（１５）・回動ベース板
（１６）・接地脚座
（１７）・回動支点軸
（１８ａ）（１８ｂ）・開閉ヒンジ
（１９）・伸縮バンド
（２０）・枚葉保管物
（２１ａ）・第１索条
（２１ｂ）・第２索条
（２１ｃ）・第３索条
（２１ｄ）・第４索条
（２２）・フック金具
（２３）・防塵カバー
（２４）・吊り環
（２５）・ポケット
（２６）・鏡
（２７）・カード類
（Ｆ）・額縁本体
（Ｍ）・観賞品
（Ｓ）・スタンド
（Ｔ）・テーブル面
（Ｗ）・壁面
（Ｐ１）（Ｐ２）（Ｐ３）（Ｐ４）・止着点
（ｘ）・短辺
（ｙ）・長辺
（ｈ−ｈ）・折り曲げ稜線
（α）・回動角度
（β）・傾斜角度
（γ）・交叉角度
【図１】
2007312808.tif 000003
【図２】
2007312808.tif 000004
【図３】
2007312808.tif 000005
【図４】
2007312808.tif 000006
【図５】
2007312808.tif 000007
【図６】
2007312808.tif 000008
【図７】
2007312808.tif 000009
【図８】
2007312808.tif 000010
【図９】
2007312808.tif 000011
【図１０】
2007312808.tif 000012
【図１１】
2007312808.tif 000013
【図１２】
2007312808.tif 000014
【図１３】
2007312808.tif 000015
【図１４】
2007312808.tif 000016
【手続補正書】
【提出日】平成18年8月8日(2006.8.8)
【手続補正１】
【補正対象書類名】特許請求の範囲
【補正対象項目名】請求項１
【補正方法】変更
【補正の内容】
【請求項１】
透視窓（１０）を有する化粧枠（１１）と、その背面の縁取り状態に固着一体化された背面板（１２）との前後相互間へ、絵画や写真などの各種枚葉観賞品（Ｍ）を出し入れ自在に収納して、その観賞品（Ｍ）を上記透視窓（１０）から透視する長方形な額縁本体（Ｆ）と、
その額縁本体（Ｆ）の背面板（１２）へ１個の支点軸（１７）を介して、縦向きと横向きとの少なくとも９０度（α）方向変換できるように枢着された回動ベース板（１５）と、その回動ベース板（１５）へ上記額縁本体（Ｆ）の１辺と平行な稜線（ｈ−ｈ）を開閉ヒンジ（１８ａ）（１８ｂ）とする起伏的な開閉操作自在に枢支連結された接地脚座（１６）とから、上記額縁本体（Ｆ）の背後へ隠れる全体的な大きさに造形された折りたたみ式スタンド（Ｓ）と、
そのスタンド（Ｓ）を挾める間隔の対応位置関係として、上記額縁本体（Ｆ）における背面板（１２）の４隅部（Ｐ１）（Ｐ２）（Ｐ３）（Ｐ４）へ各々抜け止め状態に取り付けられた第１〜４索条（２１ａ）（２１ｂ）（２１ｃ）（２１ｄ）とを備え、
その第１〜４索条（２１ａ）〜（２１ｄ）の隣り合う２本づつを上記額縁本体（Ｆ）の短辺（ｘ）に沿う平行な延在状態と、同じく額縁本体（Ｆ）の長辺（ｙ）に沿う平行な延在状態との選択的に締結して、
その締結した下側の２本により上記スタンド（Ｓ）の接地脚座（１６）を回動ベース板（１５）へ折りたたみ伏倒した閉合状態に拘束する一方、同じく締結した上側の２本を建物の壁面（Ｗ）から突出するフック金具（２２）へ掛止させることにより、上記額縁本体（Ｆ）を縦長又は横長として吊り掛け使用できるほか、
上記接地脚座（１６）の拘束状態に締結している下側の２本を解除して、その接地脚座（１６）を回動ベース板（１５）から引き起し開脚させることにより、上記額縁本体（Ｆ）をやはり縦長又は横長としてテーブル面（Ｔ）へ据え立て使用することもできるように定めたことを特徴とするスタンド付き額縁。
【手続補正２】
【補正対象書類名】特許請求の範囲
【補正対象項目名】請求項４
【補正方法】変更
【補正の内容】
【請求項４】
スタンド（Ｓ）の接地脚座（１６）を長方形又は等脚台形に造形して、その接地脚座（１６）へ横断状態に巻き付けた無端な伸縮バンド（１９）により、メモ用紙や新聞などからの切り抜き記事、カード類、その他の枚葉保管物（２０）を、上記接地脚座（１６）へ押さえ付けることができるように定めたことを特徴とする請求項１記載のスタンド付き額縁。
【手続補正３】
【補正対象書類名】明細書
【補正対象項目名】０００９
【補正方法】変更
【補正の内容】
【０００９】
本発明はこのような諸問題の抜本的な解決を目的としており、その目的を達成するための構成として、請求項１では透視窓を有する化粧枠と、その背面の縁取り状態に固着一体化された背面板との前後相互間へ、絵画や写真などの各種枚葉観賞品を出し入れ自在に収納して、その観賞品を上記透視窓から透視する長方形な額縁本体と、
【手続補正４】
【補正対象書類名】明細書
【補正対象項目名】００１３
【補正方法】変更
【補正の内容】
【００１３】
その締結した下側の２本により上記スタンドの接地脚座を回動ベース板へ折りたたみ伏倒した閉合状態に拘束する一方、同じく締結した上側の２本を建物の壁面から突出するフック金具へ掛止させることにより、上記額縁本体を縦長又は横長として吊り掛け使用できるほか、